(57)【要約】【課題】端末機で現在表示されているプログラム画面に影響を及ぼすことなく、ＤＭＢチャンネル情報を表示することができる装置及び方法を提供する。【解決手段】本発明は、デジタルマルチメディア放送受信が可能な端末機におけるデジタルマルチメディア放送チャンネル情報を表示するための装置であって、デジタルマルチメディア放送に対するチャンネル情報を表示する第１の表示部と、使用者によって選択されたチャンネルに該当するプログラム情報を表示する第２の表示部と、を含むことを特徴とする。【選択図】図５
2006081186.tif 000002
【特許請求の範囲】
【請求項１】
デジタルマルチメディア放送受信が可能な端末機におけるデジタルマルチメディア放送チャンネル情報を表示するための装置であって、
デジタルマルチメディア放送に対するチャンネル情報を表示する第１の表示部と、 
使用者によって選択されたチャンネルに該当するプログラム情報を表示する第２の表示部と、
を含むことを特徴とするデジタルマルチメディア放送チャンネル情報表示装置。 
【請求項２】
デジタルマルチメディア放送信号から検出した電子チャンネルガイド情報に基づいてチャンネル情報を生成し、該チャンネル情報を前記第１の表示部に伝達し、プログラム情報は前記第２の表示部に伝達する制御部をさらに含むことを特徴とする請求項１記載のデジタルマルチメディア放送チャンネル情報表示装置。 
【請求項３】
前記検出した電子チャンネルガイド情報を貯蔵するメモリをさらに備え、使用者がデジタルマルチメディア放送モードを選択すると、前記メモリから電子チャンネルガイド情報を読み出して前記チャンネル情報を生成することを特徴とする請求項２記載のデジタルマルチメディア放送チャンネル情報表示装置。 
【請求項４】
前記メモリに電子チャンネルガイド情報が貯蔵されていないと、受信されたデジタルマルチメディア放送信号から新たな電子チャンネルガイド情報を検出することを特徴とする請求項３記載のデジタルマルチメディア放送チャンネル情報表示装置。 
【請求項５】
前記第１の表示部は、前記端末機の他の機能に関連した情報をさらに表示することを特徴とする請求項１記載のデジタルマルチメディア放送チャンネル情報表示装置。  
【請求項６】
前記制御部は、フォンモジュールとマルチメディアモジュールとを含み、
前記フォンモジュールは、前記マルチメディアモジュールから受信したチャンネル情報が前記第１の表示部に表示されるように制御することを特徴とする請求項２記載のデジタルマルチメディア放送チャンネル情報表示装置。  
【請求項７】
前記フォンモジュールが使用者のチャンネル変更入力を感知し、前記マルチメディアモジュールに前記チャンネル変更入力を送信し、前記マルチメディアモジュールが前記チャンネル変更入力の有効性を判断し、チャンネル変更入力が有効であると、前記フォンモジュールにチャンネル変更情報を送信し、前記フォンモジュールは、前記第１の表示部に変更されたチャンネル情報を表示することを特徴とする請求項６記載のデジタルマルチメディア放送チャンネル情報表示装置。 
【請求項８】
前記フォンモジュールは、前記第１の表示部にチャンネル情報が表示されている状態でメッセージ受信が感知されると、前記チャンネル情報表示を中止し、前記受信されたメッセージを表示することを特徴とする請求項６記載のデジタルマルチメディア放送チャンネル情報表示装置。  
【請求項９】
前記制御部は、フォンモジュールとマルチメディアモジュールとを含み、
前記マルチメディアモジュールは、チャンネル情報が前記第１の表示部に表示されるように制御することを特徴とする請求項２記載のデジタルマルチメディア放送チャンネル情報表示装置。  
【請求項１０】
前記マルチメディアモジュールが使用者のチャンネル変更入力を感知し、前記チャンネル変更入力の有効性を判断し、そのチャンネル変更入力が有効であると、前記第１の表示部に変更されたチャンネル情報を表示することを特徴とする請求項９記載のデジタルマルチメディア放送チャンネル情報表示装置。 
【請求項１１】
前記マルチメディアモジュールは、前記第１の表示部にチャンネル情報が表示されている状態で前記フォンモジュールからメッセージ受信が通知されると、前記チャンネル情報表示を中止し、前記受信メッセージを表示することを特徴とする請求項９記載のデジタルマルチメディア放送チャンネル情報表示装置。  
【請求項１２】
第１の機能を制御する第１のモジュールと、前記第１の機能の遂行による表示のための第１の表示部と、第２の機能を制御する第２のモジュールと、前記第２の機能の遂行による表示のための第２の表示部とを備え、デジタルマルチメディア放送受信が可能な端末機のデジタルマルチメディア放送チャンネル情報表示方法であって、 
前記第１のモジュールが使用者のデジタルマルチメディア放送モード選択を感知する段階と、
前記第１のモジュールが前記デジタルマルチメディア放送モード選択を前記第２のモジュールに知らせる段階と、
前記第２のモジュールがメモリに電子チャンネルガイド情報が存在するか否かを判断する段階と、
前記電子チャンネルガイド情報が存在すると、前記第２のモジュールが前記第１のモジュールに前記電子チャンネルガイド情報を送信する段階と、 
前記第１のモジュールが前記電子チャンネルガイド情報に基づいてチャンネル情報を生成する段階と、
前記電子チャンネルガイド情報を前記第１の表示部に表示する段階と、
を含むことを特徴とする方法。
【請求項１３】
第１の機能を制御する第１のモジュールと、前記第１の機能の遂行による表示のための第１の表示部と、マルチメディア機能を制御する第２のモジュールと、前記マルチメディア機能の遂行による表示のための第２の表示部とを備え、デジタルマルチメディア放送受信が可能な移動通信端末機のデジタルマルチメディア放送チャンネル情報表示方法であって、 
前記第１のモジュールが使用者のデジタルマルチメディア放送モード選択を感知して前記第２のモジュールに知らせる段階と、
前記使用者のデジタルマルチメディア放送モード選択を感知した前記第２のモジュールがメモリに電子チャンネルガイド情報が存在するか否かを判断する段階と、
前記電子チャンネルガイド情報が存在すると、前記第２のモジュールが前記電子チャンネルガイド情報に基づいてチャンネル情報を生成して前記第１のモジュールに伝送する段階と、
前記第１のモジュールが受信されたチャンネル情報を前記第１の表示部に表示する段階と、
を含むことを特徴とする方法。
【請求項１４】
前記チャンネル情報を判断し、使用者が視聴を希望するチャンネルを選択すすると、前記第１のモジュールがこれを感知し、前記第２のモジュールに使用者が選択したチャンネルを知らせる段階と、 
前記第２のモジュールが、前記使用者が選択したチャンネルに該当するデジタルマルチメディア放送プログラムを前記第２の表示部に表示する段階と、
をさらに含むことを特徴とする請求項１２又は１３に記載の方法。
【請求項１５】
前記デジタルマルチメディア放送プログラムが表示されるときに、前記第２のモジュールが前記使用者によるチャンネル変更要求を感知すると、チャンネル変更情報を前記第１のモジュールに送信し、変更されたチャンネルに該当するデジタルマルチメディア放送プログラムを前記第２の表示部に表示する段階と、
前記第１のモジュールが前記チャンネル変更情報を受信し、変更されたチャンネル情報を前記第１の表示部に表示する段階と、
をさらに含むことを特徴とする請求項１４記載の方法。
【請求項１６】
前記第１のモジュールは、携帯電話機能を制御するためのフォンモジュールであることを特徴とする請求項１２又は１３記載の方法。
【請求項１７】
前記メモリに電子チャンネルガイド情報が存在しないと、前記第２のモジュールがアップデート周期に至るか否かを判断する段階と、
前記アップデート周期に至ると、受信されるデジタルマルチメディア放送信号から電子チャンネルガイド情報を新たに検出する段階と、
をさらに含むことを特徴とする請求項１２又は１３記載の方法。
【請求項１８】
前記チャンネル情報が前記第１の表示部に表示されている状態で、前記第１のモジュールが、メッセージが受信されるか否かを判断する段階と、
前記メッセージが受信されると、前記第１のモジュールが前記チャンネル情報画面の表示を中止し、前記受信メッセージが前記第１の表示部に表示されるように制御する段階と、
をさらに含むことを特徴とする請求項１２又は１３記載の方法。
【請求項１９】
第１及び第２の表示部を備え、デジタルマルチメディア放送受信可能な端末機のデジタルマルチメディア放送チャンネル情報表示方法であって、 
使用者のデジタルマルチメディア放送モード選択を感知する段階と、
メモリに電子チャンネルガイド情報が存在するか否かを判断する段階と、
前記電子チャンネルガイド情報が存在すると、前記電子チャンネルガイド情報に基づいてチャンネル情報を生成し、これを前記第１の表示部に表示する段階と、
使用者が視聴を希望するチャンネルを選択すると、この選択されたチャンネルを感知する段階と、 
前記使用者が選択したチャンネルに該当するデジタルマルチメディア放送プログラムを前記第２の表示部に表示する段階と、
を含むことを特徴とする方法。
【請求項２０】
前記デジタルマルチメディア放送プログラムが表示されるときに、前記使用者によるチャンネル変更要求が感知されるか否かを判断する段階と、
前記変更されたチャンネルに該当するデジタルマルチメディア放送プログラムを前記第２の表示部に表示する段階と、
変更されたチャンネル情報を前記第１の表示部に表示する段階と、
をさらに含むことを特徴とする請求項１９記載の方法。
【請求項２１】
前記メモリに電子チャンネルガイド情報が存在しないと、アップデート周期に至るか否かを判断する段階と、
前記アップデート周期が至ると、受信されるデジタルマルチメディア放送信号から電子チャンネルガイド情報を新たに検出する段階と、
をさらに含むことを特徴とする請求項１９記載の方法。
【請求項２２】
前記チャンネル情報が前記第１の表示部に表示されている状態で、メッセージを受信するか否かを判断する段階と、
前記メッセージ受信が感知されると、前記チャンネル情報画面の表示を中止し、前記受信メッセージを前記第１の表示部に表示する段階と、
をさらに含むことを特徴とする請求項１９記載の方法。
【請求項２３】
デジタルマルチメディア放送受信を制御するデジタルマルチメディア放送モジュールと、
第１の機能を制御する第１のモジュールと、 
前記第１の機能の遂行による表示又は前記デジタルマルチメディア放送チャンネル情報を表示するための第１の表示部と、 
第２の機能を制御する第２のモジュールと、 
前記第２の機能の遂行による表示又は前記デジタルマルチメディア放送プログラムを表示するための第２の表示部と、
を含むことを特徴とする端末機。 
【請求項２４】
デジタルマルチメディア放送受信を制御するデジタルマルチメディア放送モジュールと、
所定の機能を制御するモジュールと、
前記モジュールの制御を受けて前記機能の遂行による表示又は前記デジタルマルチメディア放送チャンネル情報を表示するための第１の表示部と、
前記モジュールの制御を受けて前記デジタルマルチメディア放送プログラムを表示するための第２の表示部と、
を含むことを特徴とする端末機。
【請求項２５】
前記モジュールが、ＭＰ３プレーヤー機能を制御することを特徴とする請求項２４記載の端末機。
【請求項２６】
前記モジュールが、デジタルビデオディスクプレーヤー機能を制御することを特徴とする請求項２４記載の端末機。
【請求項２７】
前記モジュールがテレメティック機能を制御することを特徴とする請求項２４記載の端末機。
【発明の詳細な説明】
【技術分野】
【０００１】
本発明はデジタルマルチメディア放送(Ｄｉｇｉｔａｌ  Ｍｕｌｔｉｍｅｄｉａ  Ｂｒｏａｄｃａｓｔｉｎｇ：以下、“ＤＭＢ”とする）を受信する端末機に関するもので、特に、デジタルマルチメディア放送チャンネル情報を表示する装置及び方法に関するものである。
【背景技術】
【０００２】
ＤＭＢは、放送コンテンツを送出して加入者が屋外で又は移動中にも受信アンテナを装着した個人携帯用又は車両用受信器を通じてビデオ、オーディオ、及びデータなど多様なマルチメディア放送サービスを多チャンネルを通じて視聴することができる放送サービスである。
【０００３】
移動通信端末機を通じてＤＭＢを視聴するときに、使用者は、移動通信端末機の画面を通じて表示される放送チャンネル情報を通じて希望する放送チャンネルが選択でき、このとき、選択された放送チャンネルは一つの画面内に小さく表示される。例えば、選択された放送チャンネルは、画面下部に放送チャンネルが小さく表示され、或いは画面重複(ｏｖｅｒｌａｐｐｉｎｇ)機能を用いて表示されうる。
【０００４】
図１は、従来技術による衛星テレビ放送チャンネル情報を画面に表示する例示図である。
【０００５】
衛星テレビの場合に、多様な放送チャンネル情報(以下、“チャンネル情報”はチャンネル番号又は放送局の名称を示す用語で、“プログラム”は特定プログラム又はＣＦ(Ｃｏｍｍｅｒｃｉａｌ  Ｆｉｌｍ)などを通称する用語として使用する)を表示するために、現在視聴している表示されたプログラムを画面から削除し、放送チャンネル情報画面を新たに表示する。したがって、使用者は視聴中であるプログラムが見られず、放送チャンネル情報画面のみが見られる。また、放送チャンネルをスクロールするときにも、使用者は視聴中のプログラムを画面を見ることができない。
【０００６】
ＰＩＰ(Ｐｉｃｔｕｒｅ  ｉｎ  Ｐｉｃｔｕｒｅ)機能を利用する場合、使用者は、現在視聴しているプログラムを見ることはできる。しかしながら、このプログラムが小さなイメージで表示されるため、使用者は満足しない場合がある。図１において、参照符号‘ａ’は放送チャンネル情報のイメージを表示し、参照符号‘ｂ’は現在視聴中であるプログラムのイメージを表示する。
【０００７】
以上に説明したように、従来技術には使用者がチャンネル情報を判断する場合に、使用者はプログラムイメージを見ることができず、或いは、イメージが小さくなるなど、現在視聴中である画面に影響を及ぼすようになる。例えば、ドラマやスポーツなどのプログラムを視聴する途中に放送チャンネルを確認する場合に、これら画面がとぎれるようになる。このときに、使用者は製品の機能に不満を抱かせる可能性がある。
【発明の開示】
【発明が解決しようとする課題】
【０００８】
したがって従来技術の問題点を解決するために、本発明の目的は、端末機で現在、表示されているプログラム画面に影響を及ぼすことなく、ＤＭＢチャンネル情報を表示することができる装置及び方法を提供することにある。
【０００９】
また、本発明の目的は、少なくとも２個の表示部を有する端末機でＤＭＢチャンネル情報と該当チャンネルのプログラムを各々他の表示部で表示可能にする装置及び方法を提供することにある。
【課題を解決するための手段】
【００１０】
上記の課題を達成するために、本発明は、デジタルマルチメディア放送受信が可能な端末機におけるデジタルマルチメディア放送チャンネル情報を表示するための装置であって、デジタルマルチメディア放送に対するチャンネル情報を表示する第１の表示部と、使用者によって選択されたチャンネルに該当するプログラム情報を表示する第２の表示部と、を含むことを特徴とする。
【００１１】
また、本発明は、第１及び第２の表示部を備え、デジタルマルチメディア放送受信可能な端末機のデジタルマルチメディア放送チャンネル情報表示方法であって、使用者のデジタルマルチメディア放送モード選択を感知する段階と、メモリに電子チャンネルガイド情報が存在するか否かを判断する段階と、前記電子チャンネルガイド情報が存在すると、前記電子チャンネルガイド情報に基づいてチャンネル情報を生成し、これを前記第１の表示部に表示する段階と、使用者が視聴を希望するチャンネルを選択すると、この選択されたチャンネルを感知する段階と、前記使用者が選択したチャンネルに該当するデジタルマルチメディア放送プログラムを前記第２の表示部に表示する段階と、を含むことを特徴とする。
【発明の効果】
【００１２】
本発明では、端末機が携帯電話、或いはＰＤＡである場合を仮定して説明するが、表示部を２個以上有するＭＰ３プレーヤー（例えば、携帯用ＭＰ３プレーヤーにＬＣＤ画面が結合されたマルチメディア再生装置であるＰＭＰ(Ｐｏｒｔａｂａｌｅ  Ｍｕｌｔｉｍｅｄｉａ  Ｐｌａｙｅｒ)、ＤＶＤ(Ｄｉｇｉｔａｌ  Ｖｉｄｅｏ  Ｄｉｓｃ)プレーヤー、又はテレメティック(ｔｅｌｅｍｅｔｉｃｓ)端末機などにも適用可能である。この場合、マルチメディアモジュールがＭＰ３プレー、ＤＶＤプレー、又はテレメティックの制御のための固有の処理及びＤＭＢ受信のための処理(例えば、チャンネルの選択又は変更、プログラムの表示など)を兼ねて実現し、或いは別途の機能モジュールで実現することができる。
【００１３】
上述したように、本発明は、使用者がＤＭＢ視聴中に現在視聴するＤＭＢ画面に妨害することなく、チャンネル情報を使用して希望するチャンネルを選択してチャンネル切り替えが可能になる効果がある。
【発明を実施するための最良の形態】
【００１４】
以下、本発明の望ましい実施形態を添付の図面を参照して詳細に説明する。
【００１５】
以下に、図面の説明において、同一の構成要素に対しては、できるだけ同一の参照符号を付して説明する。また、具体的なチャンネル番号、公共放送又は民営放送、プログラム名のような特定事項を示す。これは、本発明のより全般的で容易な理解のために提供されるだけで、これら特定事項がなくても本発明が実施可能であることは、当該分野で通常の知識を持つ者には自明なことであろう。そして、本発明に関連した公知の機能又は構成に関する具体的な説明が、本発明の要旨を不明にすると判断された場合に、その詳細な説明を省略する。
【００１６】
図２は、本発明の実施形態によるＤＭＢ受信可能な移動通信端末機の斜視図である。ここで、図２に示す移動通信端末機が携帯電話であると仮定する。
【００１７】
本発明の実施形態による移動通信端末機１００は、メインボディー(ｍａｉｎ  ｂｏｄｙ)２０と、メインボディー２０の下部に接続されたサブボディー４０と、を含んで構成される。メインボディー２０は、第１の表示部１１２と、サイドキー１１３-１とキーボード１１３-２とを含むキー入力部と、マイク１１４と、第１のスピーカー１１５と、を含む。メインボディーは、主に携帯電話機能を遂行するのに利用される。サブボディー４０は、第２の表示部１２３と、第２のスピーカー１２４と、を含み、主にマルチメディア機能を遂行するのに利用される。また、本実施形態では、サブボディー４０が回転型で実現したが、フォルダ型で実現することもでき、２個のボディーの接続関係は本発明の要旨と関係ない。
【００１８】
図２に示すように、移動通信端末機１００が開いているとき（メインボディー２０とサブボディー４０が相互に重ならない状態）には、第１の表示部１１２に全体放送チャンネル情報、又は、現在第２の表示部１２３を通じて視聴中であるプログラム(或いは、チャンネル)に関するチャンネル情報が表示され、これは使用者の選択に従う。サブボディー４０を回転させてメインボディー２０に重なるようにすると、言い換えれば、使用者が第１の表示部１１２のみを見るようになるときには、以前まで使用者が第２の表示部１２３を通じて視聴しているプログラム(或いはチャンネル)に関するチャンネル情報が第１の表示部１１２に表示され、第２のスピーカー１２４を通じて該当ＤＭＢオーディオがそのまま出力される。したがって、使用者は第１の表示部１１２を通じて現在聞こえているオーディオのプログラム(或いは チャンネル）がわかる。
【００１９】
上記のような構造を有する移動通信端末機１００は、キー入力部を通じた使用者の操作によって携帯電話機能を遂行したり、マルチメディア機能を遂行する。
【００２０】
使用者は、第２の表示部１２３を通じてＤＭＢを視聴し、第１の表示部１１２を通じて携帯電話機固有の機能やＤＭＢチャンネル情報を確認することができる。ここで、第１及び第２の表示部１１２、１２３は、例えば、ＬＣＤ(Ｌｉｑｕｉｄ  Ｃｒｙｓｔａｌ  Ｄｉｓｐｌａｙ)で実現できる。
【００２１】
また、第２の表示部１２３がメインであると仮定すれば、第１の表示部１１２はサブに該当する。便宜上、第１及び第２の表示部１１２、１２３は各々メインＬＣＤ、サブＬＣＤとも呼ばれる。
【００２２】
図３は、本発明の実施形態によるサブＬＣＤを通じたＤＭＢチャンネル情報表示の例示図である。図３に示すように、ＤＭＢチャンネル情報は、図２に示したサブＬＣＤである第１の表示部１１２に表示される。
【００２３】
メインＬＣＤである第２の表示部１２３を通じてＤＭＢサービスを視聴中に使用者がチャンネルキー(図示せず)を入力すると、第１の表示部１１２に多様なチャンネル情報が表示される。ここで、“チャンネルキー”は、便宜上、チャンネル設定用使用者インターフェース手段であり、任意のキーを該当用途向けに予め設定しておくことができるものである。使用者は、アップ/ダウンキー（図示せず）で表示された多様なチャンネル情報を見ることができる。使用者が、これらチャンネル情報から希望するチャンネル情報を選択すると、この選択されたチャンネルに切り替えられて第２の表示部１２３に表示されるイメージが変わる。このチャンネル切り替えのための使用者の入力は、予め設定しておいたキー(例えば、確認キー)を利用すればよい。
【００２４】
図４は、本発明の実施形態によるＤＭＢ受信可能な移動通信端末機１００を示すブロック構成図である。図４に示すように、本実施形態による第１のモジュール(フォンモジュール１１０)、第２のモジュール(ＤＭＢモジュール１２２)、及び第３のモジュール（マルチメディアモジュール１２０）が物理的に分離されたと仮定する。しかしながら、３個のモジュールのすべて又は一部を一つのチップ(便宜上、制御部とする)で構成することもできる。 
【００２５】
本発明の実施形態による移動通信端末機１００は、ＤＭＢ受信兼用携帯電話機を含む。この移動通信端末機１００は、携帯電話機能を制御する携帯電話機能モジュール(フォンモジュール)１１０と、放送サービス受信機能を遂行するＤＭＢモジュール１２２と、マルチメディア機能を制御するマルチメディアモジュール１２０と、を含む。フォンモジュール１１０は、第１の表示部１１２、キー入力部１１３、マイク１１４、第１のスピーカー１１５、及び第１のメモリ１１６を制御する。マルチメディアモジュール１２０は、第２の表示部１２３、第２のスピーカー１２４、及び第２のメモリ１２５を制御する。 
【００２６】
フォンモジュール１１０は、無線周波数(Ｒａｄｉｏ  Ｆｒｅｑｕｅｎｃｙ：ＲＦ)送受信部とモデムチップ（例えば、ＱｕａｌＣｏｍｍ社のＭＳＭ(Ｍｏｂｉｌｅ  Ｓｔａｔｉｏｎ  Ｍｏｄｅｍ)５５００）などで実現可能である。フォンモジュール１１０は、通話関連信号を送受信し、携帯電話機能を含む移動通信端末機の全般的な機能を制御する。第１の表示部１１２は、携帯電話機能を含む移動通信端末機の全般的な機能と関連情報及び本発明によるＤＢＭチャンネル情報を表示する。キー入力部１１３は、使用者の操作による制御命令又はデータなどを入力する。マイク１１４は、オーディオ信号を入力する。第１のスピーカー１１５は、携帯電話機能と関連オーディオ信号(例えば、通話音声)を出力する。第１のメモリ１１６は、携帯電話機能を含む移動通信端末機の全般的な機能と関連した情報を貯蔵する。  
【００２７】
ＤＭＢモジュール１２２は、アンテナを通じてＤＭＢ  ＲＦ信号を受信するための部分と復調部分などを含むが、本発明の要旨がこれらの細部構成ではないため、具体的に図示しない。  
【００２８】
マルチメディアモジュール１２０は、ＤＭＢモジュール１２２から受信したＤＭＢデータを復号して使用者に提供するためのマルチメディア情報(映像、文字、オーディオ)を出力する。第２の表示部１２３は、マルチメディアモジュール１２０から出力する映像信号を表示する。第２のスピーカー１２４は、マルチメディアモジュール１２０から出力されるオーディオ信号を出力する。第２のメモリ１２５は、ＤＭＢサービス提供と関連した情報を貯蔵する。チャンネル情報は、第２のメモリ１２５に貯蔵される。
【００２９】
第２のスピーカー１２４と第２の表示部１２３は、ＤＭＢサービスを出力するためのインターフェース手段である。したがって、ＤＭＢの形態によりスピーカーと表示部のうちのいずれか一つのみで構成されることができる。例えば、デジタルオーディオ放送サービスのみを提供する場合には、スピーカーだけで出力インターフェース部を構成すればよい。また、第２のスピーカー１２４は、ステレオ機能を有することができる。  
【００３０】
第１及び第２のスピーカー１１５、１２４と第１及び第２の表示部１１２、１２３のように、ハードウェアー的に各々分離構成することもでき、一つの統合されたスピーカーと一つの統合された表示部で構成することもできる。また、マルチメディアモジュール１２０は、Ｈ．２６４コデックマルチメディアプロセッサー(Ｈ．２６４Ｃｏｄｅｃ  Ｍｕｌｔｉｍｅｄｉａ  Ｐｒｏｃｅｓｓｏｒ）で実現可能である。
【００３１】
図５は、図４の移動通信端末機によるＤＭＢチャンネル情報表示方法を示すラダー図(ｌａｄｄｅｒ  ｄｉａｇｒａｍ)である。図５を参照すると、使用者がＤＭＢモードを選択すると、フォンモジュール１１０はこれを感知する(ステップ６１１)。 そして、フォンモジュール１１０は、マルチメディアモジュール１２０に使用者のＤＭＢモードの選択を知らせる。 
【００３２】
使用者のＤＭＢモード選択を認知すると、マルチメディアモジュール１２０は初期化を遂行する（ステップ５２２）。マルチメディアモジュール１２０は、電子プログラムガイド(Ｅｌｅｃｔｒｏｎｉｃ  Ｐｒｏｇｒａｍ  Ｇｕｉｄｅ：以下、“ＥＰＧ”とする)情報のアップデート周期に至るか否かを判断する(ステップ５２４)。この判断結果、ＥＰＧ情報のアップデート周期である場合に、マルチメディアモジュール１２０は、ＥＰＧ情報を受信する(ステップ５２８)。一方、ＥＰＧ情報のアップデート周期でない場合には、マルチメディアモジュール１２０は、第２のメモリ１２５にＥＰＧ情報が存在するか否かを判断する(ステップ５２６)。ここで、マルチメディアモジュール１２０が初期状態である場合、或いは、使用者が故意にＥＰＧ情報を第２のメモリ１２５から削除した場合には、ＥＰＧ情報は第２のメモリ１２５に存在しない（使用者がＥＰＧ情報をアップデートしたいときはいつでも第２のメモリ１２５からＥＰＧ情報を削除することができる）。 
【００３３】
ステップ５２６で、第２のメモリ１２５にＥＰＧ情報が存在しない場合に、マルチメディアモジュール１２０は、ステップ５２８に進んでＥＰＧ情報を受信する。ここで、ステップ５２４からステップ５２６を経てステップ５２８への進行は、第２のメモリ１２５にＥＰＧ情報が存在しない場合であるとともに、ＥＰＧ情報のアップデート周期でない場合においても、使用者の要求(ＤＭＢモードの選択)に応じるために遂行する過程である。
【００３４】
ステップ５２６で、第２のメモリ１２５にＥＰＧ情報が存在する場合、或いはステップ５２８でＥＰＧ情報を受信した場合に、マルチメディアモジュール１２０は、フォンモジュール１１０にＥＰＧ情報を送信する(ステップ５３０)。そして、マルチメディアモジュール１２０は、ＥＰＧ情報に基づいてＤＭＢチャンネル情報を生成して第２のメモリ１２５に貯蔵する(ステップ５３２)。上記のようにアップデート周期に至るか否かを判断する理由は、ＥＰＧ情報が所定時間でＥＰＧ情報の内容と構造が変更できるためである。この所定時間は、放送業者によって定められることができる。放送業者は、周期的にＥＰＧ情報をフォンモジュール１１０に伝送し、その伝送周期ごとに変更されたＥＰＧ情報が伝送可能である。 
【００３５】
一方、ＥＰＧ情報を受信すると、フォンモジュール１１０は、ＤＭＢチャンネルメニューを生成する（ステップ６１３)。そして、フォンモジュール１１０は、ＤＭＢチャンネル情報を第１の表示部１１２に表示する(ステップ６１５)。上記の図３に示したイメージは、このステップ６１５で表示されるＤＭＢチャンネル情報イメージの例示である。表示されたＤＭＢチャンネル情報を通じて使用者が視聴しようとするチャンネルを選択すると、フォンモジュール１１０がこれを感知し、マルチメディアモジュール１２０に使用者が選択したチャンネル情報を知らせる(ステップ６１７)。 
【００３６】
使用者が選択したチャンネル情報を受信すると、マルチメディアモジュール１２０は使用者の選択によるＤＭＢチャンネルのプログラムを第２の表示部１２３に表示する(ステップ５３４)。 
【００３７】
一方、下記に説明するステップ５３６、５３８、５４０、６１９、６２１は、遂行されることもあれば、そうでないこともある。言い換えれば、使用者にチャンネル切り替えの意思がないときには、これらステップは遂行されないためである。
【００３８】
上述したような動作を経てＤＭＢチャンネルのプログラムを視聴している使用者が他のＤＭＢチャンネルを視聴しようとする場合に、チャンネルキーを入力して他のＤＭＢチャンネルを選択すると、ステップ６１９で、フォンモジュール１１０がＤＭＢチャンネルの変更に対する入力を感知し、マルチメディアモジュール１２０に知らせる。例えば、使用者がチャンネル‘１０’を選択すると、フォンモジュール１１０はマルチメディアモジュール１２０に‘１’、‘０’を順次に伝送する。 
【００３９】
マルチメディアモジュール１２０は、フォンモジュール１１０から受信したＤＭＢチャンネル変更のための入力が有効であるか否かを判断し、その結果、ＤＭＢチャンネル変更の入力が有効であると、チャンネルを変更する(ステップ５３６)。この有効性の判断を遂行することは、使用者が入力を間違え、存在しないチャンネル番号を入力することもできるためである。 
【００４０】
マルチメディアモジュール１２０は、ＤＭＢチャンネル変更情報をフォンモジュール１１０に送信する(ステップ５３８)。また、マルチメディアモジュール１２０は、変更されたＤＭＢチャンネルのプログラムを第２の表示部１２３に表示する(ステップ５４０)。 
【００４１】
ＤＭＢチャンネル変更情報を受信すると、フォンモジュール１１０は、変更されたＤＭＢチャンネル情報を第１の表示部１１２に表示する(ステップ６２１)。 
【００４２】
図６は、図４の移動通信端末機による他のＤＭＢチャンネル情報表示方法を示すラダー図である。 
【００４３】
図６は、図５と比べると、ステップ５３６、５３８、５４０、６１９、及び６２１がない(これらステップが選択的に遂行されるため、図６に図示しない)。図６に示すラダー図は、ステップ６１７の次にステップ７２０、７２５、７３０がさらに追加されるもので、これらステップは、ＤＭＢサービスの視聴中に短文メッセージサービス(Ｓｈｏｒｔ  Ｍｅｓｓａｇｅ  Ｓｅｒｖｉｃｅ：以下、“ＳＭＳ”とする)メッセージを受信するために遂行される。
【００４４】
フォンモジュール１１０は、ステップ６１５で、ＤＭＢチャンネル情報を第１の表示部１１２に表示した後に、ＳＭＳメッセージが受信されるか否かを判断する。図６を参照すると、ステップ６１７の次にステップ７２０が示されているが、これらステップ間の順序は無意味である。その判断結果、ＳＭＳメッセージが受信されると、フォンモジュール１１０は、ＳＭＳイメージを第２の表示部１２３に表示する(ステップ７２５)。一方、ＳＭＳメッセージが受信されないと、フォンモジュール１１０は、ＤＭＢチャンネル情報を第２の表示部１２３に表示する状態を維持する(ステップ７３０)。
【００４５】
図７は、図４の移動通信端末機による他のＤＭＢチャンネル情報表示方法を示すラダー図である。
【００４６】
図５と比べて図７においては、、マルチメディアモジュール１２０は、フォンモジュール１１０にＥＰＧ情報を送信せず、ステップ５３２でＤＭＢチャンネル情報を生成し、ステップ５３３で生成されたＤＭＢチャンネル情報をフォンモジュール１１０に送信する。したがって、フォンモジュール１１０は、別途に自分のＤＭＢチャンネル情報を生成する必要なしにマルチメディアモジュール１２０が提供するデータをそのまま使用することができる。すなわち、ステップ６１５で、フォンモジュール１１０は、マルチメディアモジュール１２０が提供するＤＭＢチャンネル情報をその通りに使用して第１の表示部１１２に表示する。以下、説明しないステップは、上述した図５のステップと同一である。
【００４７】
図８は、本発明の実施形態によるＤＭＢ受信可能な移動通信端末機１００-１を示すブロック構成図である。
【００４８】
本発明の実施形態による移動通信端末機１００-１は、ＤＭＢ受信兼用個人携帯端末機(Ｐｅｒｓｏｎａｌ  Ｄａｔａ  Ａｓｓｉｓｔａｎｔ：以下、“ＰＤＡ”とする)を示す。図８は、上述した図４と比較すると、フォンモジュール１１０の制御を受けた構成要素のうち、第１のメモリ１１６を除いたすべてが、マルチメディアモジュール１２０によって制御されるという点が相違する。この構造は、ＰＤＡ固有の構成に基づく。また、図８では、ＰＤＡ固有の機能を除き、本発明の適用による各部分の動作が、図４の対応する構成要素と同様である。したがって、各構成要素に関する具体的な説明は省略し、参照符号も同一に示すことにする。
【００４９】
図９は、図８の移動通信端末機によるＤＭＢチャンネル情報表示方法を示すラダー図である。図９を参照すると、使用者がＤＭＢモードを選択すると、ステップ８１２でマルチメディアモジュール１２０がこれを感知し、ステップ８１４で初期化を遂行する。マルチメディアモジュール１２０は、ＥＰＧ情報のアップデート周期に至るか否かを判断する(ステップ８１６)。このようにアップデート周期に至るか否かを判断する理由は、ＥＰＧ情報がアップデート周期ごとにその内容と構造が変更できるためである。
【００５０】
その判断結果、ＥＰＧ情報のアップデート周期であると、マルチメディアモジュール１２０はＥＰＧ情報を受信する(ステップ８２０)。一方、ＥＰＧ情報のアップデート周期でないと、マルチメディアモジュール１２０は、第２のメモリ１２５にＥＰＧ情報が存在するか否かを判断する(ステップ８１８)。ここで、マルチメディアモジュール１２０が初期状態であり、或いは、使用者が第２のメモリ１２５からＥＰＧ情報を故意に削除した場合に、第２のメモリ１２５にはＥＰＧ情報が存在しない。
【００５１】
ステップ８１８で、第２のメモリ１２５にＥＰＧ情報が存在しないと判断された場合に、マルチメディアモジュール１２０はＥＰＧ情報を受信する(ステップ８２０)。ステップ８１６からステップ８１８を経てステップ８２０への進行は、第２のメモリ１２５にＥＰＧ情報が存在しない場合に、ＥＰＧ情報のアップデート周期でなくても使用者の要求(ＤＭＢモードの選択)に応じるために遂行する過程である。
【００５２】
ステップ８１８で、第２のメモリ１２５にＥＰＧ情報が存在すると判断された場合、或いは、ステップ８２０でＥＰＧ情報が受信された場合に、マルチメディアモジュール１２０は、ＥＰＧ情報に基づいてＤＭＢチャンネル情報を生成する(ステップ８２２)。 
【００５３】
マルチメディアモジュール１２０は、生成されたＤＭＢチャンネル情報を第１の表示部１１２に表示する(ステップ８２４)。前述した図３の画面は、ステップ８２４で表示されるＤＭＢチャンネル情報画面の例示である。表示されたＤＭＢチャンネル情報を通じて使用者が希望するチャンネルを選択すると、マルチメディアモジュール１２０はこれを感知する(ステップ８２６)。マルチメディアモジュール１２０は、使用者の選択によるＤＭＢチャンネルのプログラムを第２の表示部１２３に表示する(ステップ８２８)。 
【００５４】
以下に説明されるステップ８３０及び８３２は、遂行されることができ、あるいはそうでないこともできる。すなわち、使用者にＤＭＢチャンネルの切り替え意思がないときには遂行されない。
【００５５】
第２の表示部１２３に表示されるＤＭＢチャンネルのプログラムを視聴している使用者が、他のＤＭＢチャンネルを視聴するためにチャンネルキーを入力して他のＤＭＢチャンネルを選択すると、マルチメディアモジュール１２０が、ＤＭＢチャンネル変更の入力を感知し、その有効性を判断した結果、ＤＭＢチャンネルの変更が有効な入力であると、チャンネルを変更する(ステップ８３０)。そして、マルチメディアモジュール１２０は、変更されたＤＭＢチャンネル情報を第１の表示部１１２に表示し、変更されたＤＭＢチャンネルのプログラムを第２の表示部１２３に表示する(ステップ８３２)。 
【００５６】
図１０は、図８の移動通信端末機による他のＤＭＢチャンネル情報表示方法を示すラダー図である。
【００５７】
図１０は、前述した図９と比較すると、ステップ８１２〜ステップ８２８までの動作は同一であり、ステップ９１１、９１３、及び ９１５がさらに追加される。これらステップ９１１、９１３、９１５は、ステップ８２８の遂行により使用者が第２の表示部１２３に表示されるＤＭＢサービスの視聴中にＳＭＳメッセージを受信する場合のための過程である。
【００５８】
マルチメディアモジュール１２０は、ＤＭＢチャンネルのプログラムを第２の表示部１２３に表示する(ステップ８２８)。この状態で、マルチメディアモジュール１２０は、フォンモジュール(図示せず)からＳＭＳメッセージが受信されるか否かを判断する(ステップ９１１)。その判断結果、ＳＭＳメッセージが受信されると、マルチメディアモジュール１２０は、ＳＭＳメッセージを第１の表示部１１２に表示する(ステップ９１３)。一方、ＳＭＳメッセージが受信されないと、マルチメディアモジュール１２０は、ＤＭＢチャンネル情報を第１の表示部１１２に表示する状態を維持する(ステップ９１５)。
【００５９】
図１０にも、前述した図９と同様にステップ８３０、８３２を含めて示すことができる。このとき、ステップ９１１は、ステップ８２８の次に遂行される。 
【００６０】
上述した図６〜図１０では、ＳＭＳメッセージの受信及びその画面表示を例に挙げて示したが、異なる種類のメッセージの受信及びその表示も同様であることを明らかである。
【００６１】
以上、本発明の詳細な説明においては、具体的な実施形態に関して説明したが、本発明の範囲を外れない限り、様々な変形が可能であることはもちろんである。したがって、本発明の範囲は、前述した実施形態に限定されるものではなく、特許請求の範囲及びこれと均等なものに基づいて定められるべきである。
【図面の簡単な説明】
【００６２】
【図１】従来技術による衛星テレビ放送チャンネル情報を画面に表示した例示図である。
【図２】本発明の実施形態によるＤＭＢ受信可能な移動通信端末機の斜視図である。
【図３】本発明の実施形態によるサブＬＣＤを通じるＤＭＢチャンネル情報表示を示し例示図である。
【図４】本発明の実施形態によるＤＭＢ受信可能な移動通信端末機を示すブロック構成図である。
【図５】図４の移動通信端末機によるＤＭＢチャンネル情報表示方法を示すラダー図である。
【図６】図４の移動通信端末機による他のＤＭＢチャンネル情報表示方法を示すラダー図である。
【図７】図４の移動通信端末機によるまた他のＤＭＢチャンネル情報表示方法を示すラダー図である。
【図８】本発明の他の実施形態によるＤＭＢ受信可能な移動通信端末機を示すブロック構成図である。
【図９】図８の移動通信端末機によるＤＭＢチャンネル情報表示方法を示すラダー図である。
【図１０】図８の移動通信端末機による他のＤＭＢチャンネル情報表示方法を示すラダー図である。
【符号の説明】
【００６３】
１００  移動通信端末機
１１０  第１のモジュール(フォンモジュール)
１１２  第１の表示部
１１３  キー入力部
１１４  マイク
１１５  第１のスピーカー
１１６  第１のメモリ
１２０  第３のモジュール（マルチメディアモジュール）
１２２  第２のモジュール(ＤＭＢモジュール)
１２３  第２の表示部
１２４  第２のスピーカー
１２５  第２のメモリ
【図１】
2006081186.tif 000003
【図２】
2006081186.tif 000004
【図３】
2006081186.tif 000005
【図４】
2006081186.tif 000006
【図５】
2006081186.tif 000007
【図６】
2006081186.tif 000008
【図７】
2006081186.tif 000009
【図８】
2006081186.tif 000010
【図９】
2006081186.tif 000011
【図１０】
2006081186.tif 000012